(57)【特許請求の範囲】
【請求項１】
壁紙の裏面に糊を塗布する自動壁紙糊付機において、ネジを使うことなくはめ込み又は差し込みすることによってステーに対して装着でき、着脱が自在な着脱部を具備する糊切りを有し、上記糊切りは、自動壁紙糊付機に取り付けた状態で糊付ローラーまたはナラシローラーに対して平行に移動させることができ、糊切りの間隔を調整できることを特徴とする自動壁紙糊付機。
【請求項２】
糊切りは、左右対称な形状で取り付ける方向に制限のない形状であることを特徴とする請求項１記載の自動壁紙糊付機。
【発明の詳細な説明】
【０００１】
【発明の属する技術分野】
本発明は、自動壁紙糊付機における糊切りに関するものである。発明の目的はねじ等を使用せずに取り付けでき、位置の微調整が簡単にできる糊切りを有する自動壁紙糊付機を提供するものである。
【０００２】
【従来の技術】
従来から自動壁紙糊付機には糊切りが使用されている。この糊切りは、ローラーに壁紙を巻き込まないためのガイドの役割や糊付されたクロスの糊面が、糊付機に触れないようにする為のガイドの役割をするものである。
【０００３】
図７（ａ）と図７（ｂ）とは従来の糊切りを図示したものである。糊切りには糊付ローラー（６）とナラシローラー（７）の間に設置する糊切りＡ（１）と、排出される壁紙が糊付機に触れないようにするための糊切りＢ（２）とがある。これらの糊切りＡ（１）、糊切りＢ（２）はそれぞれ複数個設けられており、糊付機のフレーム間に配置しているステー（５）にネジ止めされている。（図７（ｃ）参照）糊切りは、図に示しているように取付穴が長穴となっており、ネジ止めの際にローラーとのすきまの加減を調整できるようになっている。このステー（５）はナラシローラー（７）の軸受け部と一体的になっており、ナラシローラー（７）とともに糊付機から着脱自在になっている。
【０００４】
【発明が解決しようとする課題】
糊切りはネジ止めされているため、ローラーとのすきまの加減を調整する際にはドライバーが必要であった。また、洗浄の際もナラシローラー（７）を外しても糊切り部分にスポンジ等が引っかかったりして洗浄がしにくく、洗浄性をもっと向上させてほしいという要望もあった。糊切りが簡単に脱着できるようになると、洗浄性も向上し、また組立作業も簡単にできるようになり、生産効率もアップさせることができる。
【０００５】
【課題を解決するための手段】
本発明は、自動壁紙糊付機の糊切りに関するもので、糊切りが簡単に着脱・位置調整できるようにしたものである。
【０００６】
すなわち、請求項１に係る自動壁紙糊付機は、壁紙の裏面に糊を塗布する自動壁紙糊付機において、ネジを使うことなくはめ込み又は差し込みすることによってステーに対して装着でき、着脱が自在な着脱部を具備する糊切りを有し、上記糊切りは、自動壁紙糊付機に取り付けた状態で糊付ローラーまたはナラシローラーに対して平行に移動させることができ、糊切りの間隔を調整できることを特徴とする。
【０００７】
この場合、自動壁紙糊付機の洗浄の際に、洗浄しにくかった糊切りを全て外して効率よく洗浄することができる。また、生産効率をアップさせることもできるのである。
【０００８】
また、糊切りは、自動壁紙糊付機に取り付けた状態で工具を使用することなく糊付ローラーまたはナラシローラーに対する隙間の調整ができることを特徴とし、この場合、従来のようにドライバーを使用することなく糊切りの位置調整を可能とする。
【０００９】
また、糊切りは、自動壁紙糊付機に取り付けた状態で糊付ローラーまたはナラシローラーに対して平行に移動させることができ、糊切りの間隔を調整できることを特徴とし、この場合、スリッターで裁断された壁紙の巾に合うように糊切りの位置調節を簡単に行うことができる。
【００１０】
請求項２に係る自動壁紙糊付機は、糊切りは、左右対称な形状で取り付ける方向に制限のない形状であることを特徴とし、この場合、自動壁紙糊付機への取付の向きを気にせずに取り付けすることが可能となる。
【００１１】
【発明の実施の形態】
図１に本件発明の実施の形態の一例を示す。図１の（ａ）は糊切りＡ（１）、図１（ｂ）は糊切りＢ（２）の立体斜視である。図２にステー（５）に取り付けた状態を示す。ステー（５）は断面形状が円形で糊切りＡ（１）又は、糊切りＢ（２）とローラーとのすきまを調節することが可能である。すきまの調節は糊切りを回転させて行い、糊切りの着脱部（３）は糊切りが糊付作業時に回動してしまわない程度にステー（５）を挟みつける形状となっている。糊切りは樹脂の成型品で製作すると安価に製作することができる。ステー（５）への取付は、はめこみ式であり、着脱が簡単にできる。糊切りが簡単に着脱できるので洗浄の際にはステー（５）から外して洗浄することができる。このため、ローラーやステー部分が洗いやすくなり洗浄性が向上する。
【００１２】
糊切りの形態の変形例を図３から図５にに示す。図３の形態は図２の着脱部（３）の変形例である。着脱部（３）は断面形状四角形のステー（５）に着脱される形状としている。糊切りＡ（１）は左右対称な形状であり、取り付ける際の向きがどちらでもよい形状とされている。
【００１３】
図４は、糊切りＡ（１）の取り付ける向きが決まっている形状の例である。そして、さらに図５の例は、糊切りの着脱部（３）は種々の形状をとってもよいことを示す例である。明示していなくとも、ステー（５）の形状を本発明に開示した例に限定するわけではなく、種々の断面形状としてよく、着脱部（３）はそれに対応する形状とすることができるのである。
【００１４】
そしてさらには、着脱が簡単になる以外に、ステー（５）に装着したまま糊切りがその位置を移動させることができるというメリットも出てくるのである。
【００１５】
すなわち、糊付作業の際にカットテープを用いる場合、糊切りの位置に丁度カットテープの位置が重なってしまったときには、従来では壁紙をずらさなければならなかった。しかし、本発明の糊切りであると、糊切りを移動させるだけですむのである。
【００１６】
また、スリッターで巾裁断した壁紙の巾に応じた糊切りの間隔へと調節することもでき、（たとえば糊切りＢ（２）を）糊切りの効果がより発揮できるのである。
【００１７】
以上の例は、ステー（５）にはなんの加工もすることなく糊切りを着脱することができる形状を示したが、ステー（５）に加工、すなわち例えば一例を示すとステー（５）に糊切り取付用の穴や長穴を設けて、そこへ糊切りをはめ込み又は差し込みして取り付けるようにしてもよいのである。（図６参照）ローラーと平行な長穴にしておくと糊切りの位置調整もできるのである。
【００１８】
【発明の効果】
糊切りが簡単にステー（５）に着脱できる形状であるため、ローラーとのすきまの加減を調整する際にはドライバーが不要で、また、洗浄性も向上する。また、壁紙の巾やカットテープの位置に応じた糊切りの間隔や位置と調節して糊付作業ができ、糊切りの効果を充分に発揮させることができる。
【００１９】
さらには、組立作業も簡単にできるようになり、生産効率までもアップさせることができる。
【図面の簡単な説明】
【図１】この発明の糊切りの斜視図
【図２】図１に示す糊切りの取付状態を示す側面図
【図３】糊切りの他の実施の形態を示す側面図
【図４】糊切りの他の実施の形態を示す側面図
【図５】糊切りの他の実施の形態を示す側面図
【図６】糊切りの他の実施の形態を示す斜視図
【図７】従来の糊切りを説明する斜視図
【符号の説明】
１  糊切りＡ
２  糊切りＢ
３  着脱部
５  ステー
６  糊付ローラー
７  ナラシローラー
８  押えローラー
９  壁紙
【図１】
0004590620.tif 000002
【図２】
0004590620.tif 000003
【図３】
0004590620.tif 000004
【図４】
0004590620.tif 000005
【図５】
0004590620.tif 000006
【図６】
0004590620.tif 000007
【図７】
0004590620.tif 000008
0004590620.tif 000009